(57)【要約】【課題】  少ない構成部材により小型化できると共に、使用目的に応じた設置場所への取付を可能にし、また、組立が簡単な上、運搬を容易にし、かつ、メンテナンス及び修理等を容易に行えるようにした独立電源型照明具を提供すること。【解決手段】  斜め上方に傾斜するソーラーパネル２と、このソーラーパネル２の下方に配設される光源３とを一体に設けてなる照明ユニット１０と、ソーラーパネル２及び発光ダイオード３に接続する蓄電池４を内蔵すると共に、外方に向かって開口する複数の狭隘開口状の凹溝２１を沿設する支持体２０とを具備する。照明ユニット１０に固定される連結部材３０を、支持体２０の凹溝２１内に嵌挿固定して、照明ユニット１０と支持体２０とを連結する。【選択図】    図２
2006286449.tif 000002
【特許請求の範囲】
【請求項１】
斜め上方に傾斜するソーラーパネルと、このソーラーパネルの下方に配設される光源とを一体に設けてなる照明ユニットと、
上記ソーラーパネル及び光源に接続する蓄電池を内蔵すると共に、外方に向かって開口する複数の狭隘開口状の凹溝を沿設する支持体とを具備してなり、
上記照明ユニットに固定される連結部材を、上記支持体の凹溝内に嵌挿固定して、照明ユニットと支持体とを連結してなる、ことを特徴とする独立電源型照明具。
【請求項２】
請求項１記載の独立電源型照明具において、
上記支持体の凹溝内に嵌挿固定される第２の連結部材に壁掛け用の取付部材を固定し、取付部材を介して建物の壁部に取付可能に形成してなる、ことを特徴とする独立電源型照明具。
【請求項３】
請求項１記載の独立電源型照明具において、
上記支持体の複数の凹溝の下部内に、複数の自立用の脚部材の上端部を嵌装固定することにより、支持体の下端に脚部材を突設してなる、ことを特徴とする独立電源型照明具。
【請求項４】
請求項１記載の独立電源型照明具において、
上記支持体の複数の凹溝の上部内に、略逆Ｕ字状の吊り下げ用の吊り部材の両垂下部の下端部を嵌装固定することにより、支持体の上端に吊り部材を突設してなる、ことを特徴とする独立電源型照明具。
【請求項５】
請求項１記載の独立電源型照明具において、
上記支持体の下部を下方に延在し、その下端部における凹溝内に、地面に設置されるアンカを係合すると共に、固定部材によって連結可能に形成してなる、ことを特徴とする独立電源型照明具。
【請求項６】
請求項１記載の独立電源型照明具において、
上記支持体の下部を下方に延在し、その下端部における凹溝内に、地面に設置されるアンカを係合すると共に、固定部材によって連結可能に形成し、かつ、照明ユニットを連結した凹溝における照明ユニットの下部に嵌装固定される第３の連結部材に標識部材を固定し、照明ユニットの光源により標識部を照射可能に形成してなる、ことを特徴とする独立電源型照明具。
【請求項７】
請求項１、２又は６に記載の独立電源型照明具において、
上記連結部材を、狭隘開口状の凹溝の開口部内面に係合する連結片を有する断面略コ字状に形成し、上記連結片に設けられたねじ孔に螺挿されるねじ部材を凹溝の底面に当接することにより、連結片を凹溝の開口部内面に押圧固定してなる、ことを特徴とする独立電源型照明具。
【請求項８】
請求項１記載の独立電源型照明具において、
上記照明ユニットは、ソーラーパネルを装着する傾斜装着面と、この傾斜装着面と反対側に位置する略鉛直状の取付面と、この取付面の下端から上記傾斜装着面の下端に向かって緩やかな上り勾配を有する下面とを具備し、
上記取付面に、支持体に設けられた凹溝の開口部内に摺動可能に嵌合する凸条を形成し、
上記下面に、光源を収容する凹所を形成すると共に、凹所の内面に反射板を配設してなる、ことを特徴とする独立電源型照明具。
【請求項９】
請求項１ないし８のいずれかに記載の独立電源型照明具において、
上記支持体を、中空形材にて形成すると共に、凹溝を対向する２辺に形成してなる、ことを特徴とする独立電源型照明具。
【発明の詳細な説明】
【技術分野】
【０００１】
この発明は、独立電源型照明具に関するもので、更に詳細には、例えば建物の壁部，軒部や支柱等に容易に取付可能な独立電源型照明具に関するものである。
【背景技術】
【０００２】
一般に、地上に立設される支柱に、ソーラーパネルと、ソーラーパネルによって得られた自然エネルギーを蓄電する蓄電池と、蓄電池に蓄電された電力によって発光する光源を備えた独立電源型照明柱が知られている。
【０００３】
従来のこの種の独立電源型照明柱として、地上に立設される中空状支柱と、中空状支柱に装着されるソーラーパネルと、中空状支柱の中空部内に収容される蓄電池と、蓄電池に蓄電された電力により発光する光源例えば発光ダイオードとを具備する構造のものが知られている（例えば、特許文献１参照）。
【特許文献１】特開２００４−２０７１０９号公報（特許請求の範囲、図１）
【発明の開示】
【発明が解決しようとする課題】
【０００４】
しかしながら、特開２００４−２０７１０９号公報に記載の構造は、蓄電池を内蔵した支柱に、ソーラーパネルを装着すると共に、光源である発光ダイオードを配設する構造であるため、使用形態が支柱型に限定されると共に、大型になり、組立に手間を要するという問題がある。また、工場等で予め組み立てた場合には、設置現場への搬送に労力と時間を要するという問題もある。更には、支柱にソーラーパネルと光源を組み付ける構造であるため、保守・点検等のメンテナンスや故障した場合の修理等に改善の余地がある。
【０００５】
この発明は、上記事情に鑑みてなされたもので、少ない構成部材により小型化できると共に、使用目的に応じた設置場所への取付を可能にし、また、組立が簡単な上、運搬を容易にし、かつ、メンテナンス及び修理等を容易に行えるようにした独立電源型照明具を提供することを課題とするものである。
【課題を解決するための手段】
【０００６】
上記課題を解決するために、請求項１記載の発明は、斜め上方に傾斜するソーラーパネルと、このソーラーパネルの下方に配設される光源とを一体に設けてなる照明ユニットと、  上記ソーラーパネル及び光源に接続する蓄電池を内蔵すると共に、外方に向かって開口する複数の狭隘開口状の凹溝を沿設する支持体とを具備し、  上記照明ユニットに固定される連結部材を、上記支持体の凹溝内に嵌挿固定して、照明ユニットと支持体とを連結してなる、ことを特徴とする。
【０００７】
このように構成することにより、ソーラーパネルと光源を一体に設けた照明ユニットを、蓄電池を内蔵する支持体に設けられた狭隘開口状の凹溝内に嵌挿固定される連結部材を介して連結することができる。
【０００８】
また、請求項２記載の発明は、請求項１記載の独立電源型照明具において、上記支持体の凹溝内に嵌挿固定される第２の連結部材に壁掛け用の取付部材を固定し、取付部材を介して建物の壁部に取付可能に形成してなる、ことを特徴とする。
【０００９】
このように構成することにより、支持体に設けられた狭隘開口状の凹溝内に嵌挿固定される第２の連結部材と、該連結部材に固定される取付部材を介して独立電源型照明具を建物の壁部に取り付けることができる。
【００１０】
また、請求項３記載の発明は、請求項１記載の独立電源型照明具において、上記支持体の複数の凹溝の下部内に、複数の自立用の脚部材の上端部を嵌装固定することにより、支持体の下端に脚部材を突設してなる、ことを特徴とする。
【００１１】
このように構成することにより、支持体の下端に突設される脚部材を介して独立電源型照明具を任意の設置面上に自立状態に取り付けることができる。
【００１２】
また、請求項４記載の発明は、請求項１記載の独立電源型照明具において、上記支持体の複数の凹溝の上部内に、略逆Ｕ字状の吊り下げ用の吊り部材の両垂下部の下端部を嵌装固定することにより、支持体の上端に吊り部材を突設してなる、ことを特徴とする。
【００１３】
このように構成することにより、支持体の上端に突設される吊り部材を介して独立電源型照明具を例えば軒先に吊り下げて取り付けることができる。
【００１４】
また、請求項５記載の発明は、請求項１記載の独立電源型照明具において、上記支持体の下部を下方に延在し、その下端部における凹溝内に、地面に設置されるアンカを係合すると共に、固定部材によって連結可能に形成してなる、ことを特徴とする。
【００１５】
このように構成することにより、独立電源型照明具を独立電源型照明柱として使用することができる。
【００１６】
また、請求項６記載の発明は、請求項１記載の独立電源型照明具において、上記支持体の下部を下方に延在し、その下端部における凹溝内に、地面に設置されるアンカを係合すると共に、固定部材によって連結可能に形成し、かつ、照明ユニットを連結した凹溝における照明ユニットの下部に嵌装固定される第３の連結部材に標識部材を固定し、照明ユニットの光源により標識部を照射可能に形成してなる、ことを特徴とする。
【００１７】
このように構成することにより、独立電源型照明具を独立電源型照明柱として使用することができると共に、表示柱として使用することができる。
【００１８】
また、請求項７記載の発明は、請求項１、２又は６に記載の独立電源型照明具において、上記連結部材を、狭隘開口状の凹溝の開口部内面に係合する連結片を有する断面略コ字状に形成し、上記連結片に設けられたねじ孔に螺挿されるねじ部材を凹溝の底面に当接することにより、連結片を凹溝の開口部内面に押圧固定してなる、ことを特徴とする。
【００１９】
このように構成することにより、照明ユニットに固定された連結部材を支持体に設けられた狭隘開口状の凹溝内に嵌挿し、連結部材の連結片に設けられたねじ孔にねじ部材を螺挿することで、照明ユニットを支持体に連結することができる。また、第２の連結部材を上記と同様に支持体の凹溝内に嵌挿固定することで、独立電源型照明具を建物の壁部に取り付けることができる。更にまた、第３の連結部材を上記と同様に支持体の凹溝内に嵌挿固定することで、標識部材を支持体に取り付けることができる。
【００２０】
また、請求項８記載の発明は、請求項１記載の独立電源型照明具において、  上記照明ユニットは、ソーラーパネルを装着する傾斜装着面と、この傾斜装着面と反対側に位置する略鉛直状の取付面と、この取付面の下端から上記傾斜装着面の下端に向かって緩やかな上り勾配を有する下面とを具備し、  上記取付面に、支持体に設けられた凹溝の開口部内に摺動可能に嵌合する凸条を形成し、  上記下面に、光源を収容する凹所を形成すると共に、凹所の内面に反射板を配設してなる、ことを特徴とする。
【００２１】
このように構成することにより、取付面に突設された凸条を、支持体に設けられた凹溝の開口部内に摺動可能に嵌合して取り付けることができる。また、下面を傾斜装着面の下端に向かって緩やかな上り勾配に形成すると共に、下面に設けられた凹所の内面に反射板を配設することにより、光源から照射される光の照射領域を拡大することができる。
【００２２】
加えて、請求項９記載の発明は、請求項１ないし８のいずれかに記載の独立電源型照明具において、上記支持体を、中空形材にて形成すると共に、凹溝を対向する２辺に形成してなる、ことを特徴とする。
【００２３】
このように構成することにより、狭隘開口状の凹溝を有する支持体の作製を容易にすることができると共に、支持体内への蓄電池の取付を容易にすることができ、かつ、独立電源型照明具を軽量にすることができる。
【発明の効果】
【００２４】
この発明によれば、上記のように構成されているので、以下のような効果が得られる。
【００２５】
（１）請求項１記載の発明によれば、ソーラーパネルと光源を一体に設けた照明ユニットを、蓄電池を内蔵する支持体に設けられた狭隘開口状の凹溝内に嵌挿固定される連結部材を介して連結することができるので、少ない構成部材によって簡単に組み立てることができると共に、小型化できる上、運搬を容易にし、かつ、メンテナンス及び修理等を容易にすることができる。
【００２６】
（２）請求項２記載の発明によれば、支持体に設けられた狭隘開口状の凹溝内に嵌挿固定される第２の連結部材と、該連結部材に固定される取付部材を介して独立電源型照明具を建物の壁部に取り付けることができるので、上記（１）に加えて、更に独立電源型照明具を容易に壁掛け式に使用することができる。
【００２７】
（３）請求項３記載の発明によれば、支持体の下端に突設される脚部材を介して独立電源型照明具を例えば支柱の頂部等に自立状態に取り付けることができるので、上記（１）に加えて、更に独立電源型照明具を容易に自立した状態で使用することができる。
【００２８】
（４）請求項４記載の発明によれば、支持体の上端に突設される吊り部材を介して独立電源型照明具を例えば軒先に吊り下げて容易に取り付けることができるので、上記（１）に加えて、更に独立電源型照明具を容易に軒先等に吊り下げて使用することができる。
【００２９】
（５）請求項５記載の発明によれば、上記（１）に加えて、更に独立電源型照明具を独立電源型照明柱として使用することができる。
【００３０】
（６）請求項６記載の発明によれば、上記（１）に加えて、更に独立電源型照明具を独立電源型照明柱として使用することができると共に、表示柱として使用することができる。
【００３１】
（７）請求項７記載の発明によれば、照明ユニットに固定された連結部材を支持体に設けられた狭隘開口状の凹溝内に嵌挿し、連結部材の連結片に設けられたねじ孔にねじ部材を螺挿することで、照明ユニットを支持体に連結することができ、また、第２の連結部材を支持体の凹溝内に嵌挿固定することで、独立電源型照明具を建物の壁部に取り付けることができ、更にまた、第３の連結部材を支持体の凹溝内に嵌挿固定することで、標識部材を支持体に取り付けることができる。したがって、上記（１），（２）及び（６）に加えて、更に照明ユニットの支持体への取付を容易にすることができると共に、独立電源型照明具を建物の壁部への取付を容易にし、また、標識部材の支持体への取付を容易にすることができる。
【００３２】
（８）請求項８記載の発明によれば、取付面に突設された凸条を、支持体に設けられた凹溝の開口部内に摺動可能に嵌合して取り付けることができるので、上記（１）に加えて、更に照明ユニットと支持体との連結を容易にすることができる。また、下面を傾斜装着面の下端に向かって緩やかな上り勾配に形成すると共に、下面に設けられた凹所の内面に反射板を配設することにより、光源から照射される光の照射領域を拡大することができるので、上記（１）に加えて、更に少ない消費電力によって有効な照射効果を得ることができる。
【００３３】
（９）請求項９記載の発明によれば、狭隘開口状の凹溝を有する支持体の作製を容易にすることができると共に、支持体内への蓄電池の取付を容易にすることができ、かつ、独立電源型照明具を軽量にすることができるので、上記（１）〜（８）に加えて、更に組立を容易にすることができると共に、軽量にすることができる。
【発明を実施するための最良の形態】
【００３４】
以下に、この発明の最良の実施形態を添付図面に基づいて詳細に説明する。
【００３５】
図１は、この発明に係る独立電源型照明具の一例を示す斜視図、図２は、上記独立電源型照明具の断面図、図３は、上記独立電源型照明具の一部を断面で示す平面図、図４は、上記独立電源型照明具の分解斜視図である。
【００３６】
この発明に係る独立電源型照明具１は、斜め上方に傾斜するソーラーパネル２と、このソーラーパネル２の下方に配設される光源３とを一体に設けてなる照明ユニット１０と、ソーラーパネル２及び光源３に接続する蓄電池４を内蔵すると共に、外方に向かって開口する複数例えば２個の狭隘開口状の凹溝２１を沿設する支持体２０とで主に構成されており、支持体２０の凹溝２１内に嵌挿固定される連結部材３０に照明ユニット１０を固定することにより、照明ユニット１０と支持体２０とが連結されている。
【００３７】
上記照明ユニット１０は、図１、図２及び図４に示すように、ソーラーパネル２を装着する表面が矩形状の傾斜装着面１１と、この傾斜装着面１１と反対側に位置する略鉛直状の表面が矩形状の取付面１２と、この取付面１２の下端から傾斜装着面１１の下端に向かって緩やかな上り勾配を有する表面が矩形状の下面１３と、略三角形状の一対の側面１４とを具備するアルミニウム合金製鋳物部材にて形成されるユニット基部１０ａを具備している。また、照明ユニット１０のユニット基部１０ａの取付面１２には、支持体２０に設けられた凹溝２１の開口部２１ａ内に摺動可能に嵌合する凸条１５が形成され、下面１３には、光源３を収容する凹所１６が形成されている。この凹所１６の底面部に光源３例えば発光ダイオード（以下に、発光ダイオード３という）が取り付けられている。また、凹所１６の内面には、発光ダイオード３から照射された光を凹所１６の開口部から下方に反射する反射板１７が配設されている。
【００３８】
なお、図２に示すように、照明ユニット１０の取付面１２の上部及び中間部の２箇所には、凸条１５に開口するねじ孔１８が設けられている。また、傾斜装着面１１の上部及び中間部から取付面１２及び凸条１５に渡って、ソーラーパネル２と蓄電池４とを接続する第１及び第２のリード線５ａ，５ｂを案内する第１及び第２の配線案内孔１０ｂ，１０ｃが設けられ、凹所１６の底面の中央部から取付面１２及び凸条１５に渡って、発光ダイオード３と蓄電池４とを接続する第３のリード線５ｃを案内する第３の配線案内孔１０ｄが設けられている。
【００３９】
また、ソーラーパネル２は例えば両面接着テープ（図示せず）によって傾斜装着面１１に接着され、ソーラーパネル２の表面には、ガラス板１９ａが被覆されると共に、ガラス板１９ａの四周に図示しないシリコンシール剤が充填されており、このガラス板１９ａによってソーラーパネル２を雨水等から保護している。また、凹所１６の開口部には、発光ダイオード３及び反射板１７から照射される光を外方に案内する透光板１９ｂが、取り付けられている。この透光板１９ｂは例えばガラス板にて形成されており、その四周には図示しないシリコンシール剤が充填されている。
【００４０】
上記支持体２０は、例えばアルミニウム合金製の中空円筒状の押出形材にて形成されており、その対向する２辺に狭隘開口状の凹溝２１が沿設されている。また、支持体２０の内周面の４箇所には断面略Ｃ字状のビスポケット２２が突設されている。
【００４１】
上記のように構成される支持体２０の上下開口端には、それぞれ上部蓋２３ａと下部蓋２３ｂとが被着され、止めねじ２６をビスポケット２２に螺合することによって、上部蓋２３ａ及び下部蓋２３ｂが支持体２０の上下端部に固着されている。
【００４２】
なお、支持体２０の中空部２０ａ内には、一方の凹溝２１の底部２１ｂの内面に固定ねじ（図示せず）によって固定される略Ｌ字状の取付金具２４を介して蓄電池４が着脱可能に収容（内蔵）されている。
【００４３】
また、他方すなわち照明ユニット１０を取り付ける側の凹溝２１の底部２１ｂには、第１ないし第３のリード線５ａ，５ｂ，５ｃが挿通可能な透孔２５が設けられている（図２参照）。
【００４４】
上記連結部材３０は、図２ないし図４に示すように、狭隘開口状の凹溝２１の開口部２１ａの内面に係合する連結片３１を有する断面略コ字状のアルミニウム合金製の押出形材にて形成されている。この場合、連結片３１の両端部には、連結用ねじ部材である連結ボルト３２が螺挿可能なねじ孔３３が刻設され、また、連結片３１の上部及び中間部の２箇所には、固定用ねじ部材である固定ボルト３４が貫通可能な透孔３５が穿設されている。なお、連結片３１には、上記配線案内孔１０ｂ，１０ｃ及び１０ｄに連通する案内孔３６ａ，３６ｂ及び３６ｃが穿設されている（図２及び図４参照）。
【００４５】
上記のように構成される連結部材３０は、透孔３５を貫通する固定ボルト３４を照明ユニット１０に設けられたねじ孔１８に螺合することによって照明ユニット１０に固定される。そして、この状態で支持体２０の凹溝２１内に嵌挿され、ねじ孔３３に連結ボルト３２を螺挿し、連結ボルト３２の先端を凹溝２１の底部２１ｂに当接することにより、連結片３１が凹溝２１の開口部内面に押圧固定されて、照明ユニット１０と支持体２０とが連結されるようになっている。
【００４６】
上記のように構成される独立電源型照明具１は使用目的に応じて、例えば、壁掛け用，自立用、軒吊り用，照明柱あるいは標識付き照明柱等として使用することができる。以下に、各使用形態について説明する。なお、以下の説明において、照明ユニット１０と支持体２０の形状及び連結構造は上記と同じであるので、同一部分に同一符号を付して、説明は省略する。
【００４７】
＜壁掛け用独立電源型照明具＞
図５は、この発明に係る独立電源型照明具を壁部に取り付けた状態の一例を示す斜視図、図６は、壁部への取付部を示す断面図である。
【００４８】
上記壁掛け用独立電源型照明具１Ａは、照明ユニット１０を連結する凹溝２１と反対側の狭隘開口状の凹溝２１内に嵌挿固定される第２の連結部材３０Ａに固定ボルト３４Ａによって固定される取付部材４０に穿設された取付孔４１を貫通する取付ねじ４２を建物の壁部６に螺合することによって、建物の壁部６に取り付けられる。
【００４９】
この場合、第２の連結部材３０Ａは、上記連結部材３０と同様に、狭隘開口状の凹溝２１の開口部２１ａの内面に係合する連結片３１を有する断面略コ字状のアルミニウム合金製の押出形材にて形成されている。また、連結片３１の両端部には、連結用ねじ部材である連結ボルト３２Ａが螺挿可能なねじ孔（図示せず）が刻設され、また、連結片３１の上部及び中間部の２箇所には、固定用ねじ部材である固定ボルト３４Ａが貫通可能な透孔３５が穿設されている。
【００５０】
上記連結部材３０Ａは、透孔３５を貫通する固定ボルト３４Ａを取付部材４０に設けられたねじ孔４３に螺合することによって取付部材４０に固定される。この状態で支持体２０の凹溝２１内に嵌挿され、ねじ孔（図示せず）に連結ボルト３２Ａを螺挿し、連結ボルト３２Ａの先端を凹溝２１の底部２１ｂに当接することにより、連結片３１が凹溝２１の開口部内面に押圧固定されて、取付部材４０が支持体２０に固定される。これにより、照明ユニット１０に連結された支持体２０に取付部材４０が固定されるので、取付ねじ４２を取付部材４０に設けられた取付孔４１を貫通して壁部６に螺合することによって、壁掛け用独立電源型照明具１Ａが建物の壁部６に取り付けられる。
【００５１】
なお、上記説明では、取付ねじ４２を取付部材４０に設けられた取付孔４１を貫通して壁部６に螺合することによって独立電源型照明具１Ａを壁部６に取り付ける場合について説明したが、取付部材４０を、例えば壁部６に予め固定された略額縁状の取付枠に嵌合して固定するようにしてもよく、あるいは、取付部材４０にフック部を突設し、このフック部を壁部６に固着されたフック受け金具に係合させるようにしてもよい。
【００５２】
＜自立用独立電源型照明具＞
図７は、この発明に係る独立電源型照明具を自立用として使用する状態を示す斜視図、図８は、自立用独立電源型照明具の取付部を示す断面図である。
【００５３】
上記自立用独立電源型照明具１Ｂは、支持体２０の両凹溝２１の下部内に、一対の支持用の脚部材５０の上端部をそれぞれ嵌装固定することにより、支持体２０の下端に一対の脚部材５０を突設してなり、両脚部材５０の下端部間に連結される固定部材５３を介して設置面７上に起立状態に取り付けられるように構成されている。
【００５４】
この場合、脚部材５０は、上記連結部材３０及び第２の連結部材３０Ａと同様に、狭隘開口状の凹溝２１の開口部２１ａの内面に係合する連結片３１を有する断面略コ字状のアルミニウム合金製の押出形材にて形成されている。このように構成される脚部材５０の連結片５１の上端部にはねじ孔５２が刻設されており、このねじ孔５２に螺挿される連結ボルト３２Ｂの先端を凹溝２１の底部２１ｂに当接することにより、連結片５１が凹溝２１の開口部内面に押圧固定されて、脚部材５０が支持体２０に固定される。なお、支持体２０の下端開口部を閉塞する下部蓋２３ｂには、脚部材５０が嵌挿可能な切欠き２３ｃが設けられている（図８参照）。
【００５５】
また、固定部材５３は例えば断面略コ字状のアルミニウム合金製の押出形材にて形成されており、その両端部が両脚部材５０の凹部内に嵌合された状態で例えば溶接やろう付け等の固定手段によって固定されている。なお、固定部材５３の連結片５３ａの略中間部には透孔５３ｂが穿設されている。
【００５６】
上記のように構成される自立用独立電源型照明具１Ｂを設置面７上に取り付けるには、まず、設置面７に植設されたアンカーボルト５４に、固定部材５３に設けられた透孔５３ｂを嵌装して固定部材５３を設置面７上に当接する。次に、アンカーボルト５４の突出部にチャンネル状の座金５５を嵌装して、座金５５を固定部材５３の上面に被着し、そして、アンカーボルト５４に固定ナット５６を締結することによって、自立用独立電源型照明具１Ｂを設置面７上に設置することができる。
【００５７】
なお、上記説明では、固定部材５３が断面略コ字状に形成され、チャンネル状の座金５５を用いる場合について説明したが、固定部材５３を断面中空矩形状に形成し、チャンネル状の座金５５に代えて平板状の座金を用いて同様に固定ナット５６を締結して、自立用独立電源型照明具１Ｂを設置面７上に設置するようにしてもよい。
【００５８】
＜軒吊り用独立電源型照明具＞
図９は、この発明に係る独立電源型照明具を軒吊り用とした状態を示す斜視図、図１０は、軒吊り用独立電源型照明具の取付部を示す正面図（ａ）及び側面図（ｂ）である。
【００５９】
上記軒吊り用独立電源型照明具１Ｃは、支持体２０の両凹溝２１の上部内に、略逆Ｕ字状の吊り下げ用の吊り部材６０の両垂下部６２の下端部を嵌装固定することにより、支持体２０の上端に吊り部材６０を突設してなり、吊り部材６０の上端連結部６３を介して建物の軒先部８に吊り下げられるように構成されている。
【００６０】
この場合、吊り部材６０は、上記連結部材３０及び第２の連結部材３０Ａと同様に、狭隘開口状の凹溝２１の開口部２１ａの内面に係合する連結片６１を有する断面略コ字状のアルミニウム合金製の押出形材にて形成される一対の垂下部６２と、両垂下部６２の上端間に連結される上端連結部６３とで構成されている。なお、上端連結部６３は例えば断面略コ字状のアルミニウム合金製の押出形材にて形成されており、その両端部が垂下部６２の凹部内に嵌合された状態で例えば溶接やろう付け等の固定手段によって固定されている。なお、支持体２０の上端開口部を閉塞する上部蓋２３ａには、吊り部材６０の垂下部６２が嵌挿可能な切欠き２３ｃが設けられている（図９参照）。
【００６１】
このように構成される吊り部材６０の連結片６１の上端部にはねじ孔（図示せず）が刻設されており、このねじ孔に螺挿される連結ボルト３２Ｃの先端を凹溝２１の底部（図示せず）に当接することにより、連結片６１が凹溝２１の開口部内面に押圧固定されて、吊り部材６０が支持体２０に固定される。
【００６２】
上記のように構成される軒吊り用独立電源型照明具１Ｃを建物の軒先部８に取り付けるには、軒先部８に垂下されたフック状の係止金具６４に吊り部材６０を係止させて独立電源型照明具１Ｃを軒先部８に吊り下げることができる。この場合、図１０（ａ）に示すように、係止金具６４の先端起立部６４ａにロックレバー６５を揺動可能に枢着し、ロックレバー６５の先端部を係止金具６４の基部６４ｂに係脱可能に係合させると共に、図示しない錠前によって施錠可能に形成することにより、盗難防止や落下防止等を確実にすることができる。
【００６３】
＜照明柱用独立電源型照明具＞
図１１は、この発明に係る独立電源型照明具を照明柱用に使用した状態の斜視図（ａ）及び（ａ）のＩ−Ｉ線に沿う拡大断面図である。
【００６４】
上記照明柱用独立電源型照明具１Ｄは、上記支持体２０の下部を下方に延在した長尺状の支持体（以下に支持体２０Ａという）を具備し、支持体２０Ａの下端部における凹溝２１内に、地面９に設置されるアンカ７０を係合すると共に、固定部材である固定ボルト７１によってアンカ７０に連結可能に構成されている。
【００６５】
この場合、アンカ７０は、例えば矩形状のアルミニウム合金製のアンカ基板７２の上面に、支持体２０に設けられた狭隘開口状の凹溝２１の開口部２１ａ内に摺動可能に嵌合する凸条７３ａを有する一対の例えばアルミニウム合金製の鋳物製部材にて形成されるブラケット７３を立設してなる。また、両ブラケット７３には、凸条７３ａを貫通する貫通孔７４が穿設されており、貫通孔７４内を貫通する固定ボルト７１を、凹溝２１内に嵌挿される断面略コ字状のアルミニウム合金製の押出形材にて形成される固定部材７５に設けられたねじ孔７６に螺合することによって、固定部材７５が引き寄せられて凹溝２１の開口部内面に圧接され、ブラケット７３と固定部材７５とで凹溝２１の開口部２１ａを挟持した状態で、支持体２０Ａがアンカ７０に連結され、照明柱用独立電源型照明具１Ｄが地面９に設置される。
【００６６】
＜標識付き照明柱用独立電源型照明具＞
図１２は、この発明に係る独立電源型照明具を標識付き照明柱用に使用した状態を示す斜視図、図１３は、図１２のII−II線に沿う拡大断面図、図１４は、図１３のIII−III線に沿う断面図である。
【００６７】
上記標識付き照明柱用独立電源型照明具１Ｅは、上記照明柱用独立電源型照明具１Ｄと同様にアンカ７０に連結固定される支持体２０Ａに設けられた狭隘開口状の凹溝２１における照明ユニット１０を連結した部位の下部に嵌装固定される第３の連結部材３０Ｂに標識部材８０を固定し、照明ユニット１０の発光ダイオード３からの光により標識部を照射可能に形成した場合である。
【００６８】
この場合、標識部材８０は、図１３及び図１４に示すように、表面に標識板８１を装着し、背面には、狭隘開口状の凹溝２１の開口部２１ａ内に摺動可能に嵌合される凸条８２が突設されている。
【００６９】
また、第３の連結部材３０Ｂは、上記連結部材３０及び第２の連結部材３０Ａと同様に、狭隘開口状の凹溝２１の開口部２１ａの内面に係合する連結片３１を有する断面略コ字状のアルミニウム合金製の押出形材にて形成されている。この場合、連結片３１の両端部には、連結用ねじ部材である連結ボルト３２Ｄが螺挿可能なねじ孔３３が刻設され、また、連結片３１の上部及び中間部の２箇所には、固定用ねじ部材である固定ボルト８４が貫通可能な透孔３５が穿設されている。
【００７０】
上記のように構成される連結部材３０Ｂは、透孔３５を貫通する固定ボルト８４を標識部材８０の凸条８２に設けられたねじ孔８３に螺合することによって標識部材８０に固定される。そして、この状態で支持体２０の凹溝２１内に嵌挿され、連結部材３０Ｂに設けられたねじ孔３３に連結ボルト３２Ｄを螺挿し、連結ボルト３２Ｄの先端を凹溝２１の底部２１ｂに当接することにより、連結片３１が凹溝２１の開口部内面に押圧固定されて、標識部材８０と支持体２０とが連結されるようになっている。
【００７１】
上記のようにして、照明ユニット１０の下部に標識部材８０を連結した支持体２０Ａの下端部を上記照明柱用独立電源型照明具１Ｄと同様にアンカ７０に連結することによって標識付き照明柱用独立電源型照明具１Ｅを地面９に設置することができる。
【００７２】
＜その他の実施形態＞
上記実施形態では、支持体２０，２０Ａがアルミニウム合金製の中空円筒状の押出形材にて形成される場合について説明したが、支柱体２０，２０Ａの形状は、中空円筒状以外の形状、例えば中空矩形筒状，中空五角筒状，中空六角筒状等の任意の形状であってもよい。
【００７３】
また、上記実施形態では、凹溝２１が対向する２箇所に設けられる場合について説明したが、凹溝２１は複数設けられるものであれば、例えば、１２０°の角度をおいて３箇所に凹溝２１を設け、任意の凹溝２１に連結部材３０を嵌挿固定して照明ユニット１０を連結し、また、第２，第３の連結部材３０Ａ，３０Ｂを嵌挿固定して、建物の壁部６に取り付けるか、標識部材８０を取り付けることも可能である。
【図面の簡単な説明】
【００７４】
【図１】この発明に係る独立電源型照明具の一例を示す斜視図である。
【図２】上記独立電源型照明具の断面図である。
【図３】上記独立電源型照明具の一部を断面で示す平面図である。
【図４】上記独立電源型照明具の分解斜視図である。
【図５】この発明に係る独立電源型照明具を壁部に取り付けた状態を示す斜視図である。
【図６】図５の取付部を示す断面図である。
【図７】この発明に係る独立電源型照明具を自立用に使用した状態を示す斜視図である。
【図８】図７の取付部を示す断面図である。
【図９】この発明に係る独立電源型照明具を軒吊り用に使用した状態を示す斜視図である。
【図１０】図９の取付部を示す正面図（ａ）及び側面図（ｂ）である。
【図１１】この発明に係る独立電源型照明具を照明柱用に使用した状態を示す斜視図（ａ）及び（ａ）のＩ−Ｉ線に沿う拡大断面図（ｂ）である。
【図１２】この発明に係る独立電源型照明具を標識付き照明柱用に使用した状態を示す斜視図である。
【図１３】図１２のII−II線に沿う拡大断面図である。
【図１４】図１３のIII−III線に沿う断面図である。
【符号の説明】
【００７５】
１  独立電源型照明具
１Ａ  壁掛け用独立電源型照明具
１Ｂ  自立用独立電源型照明具
１Ｃ  軒吊り用独立電源型照明具
１Ｄ  照明柱用独立電源型照明具
１Ｅ  標識付き照明柱用独立電源型照明具
２  ソーラーパネル
３  発光ダイオード（光源）
４  蓄電池
６  壁部
７  設置面
８  軒先部
９  地面
１０  照明ユニット
１１  傾斜装着面
１２  取付面
１３  下面
１５  凸条
１６  凹所
１８  ねじ孔
２０，２０Ａ  支持体
２０ａ  中空部
２１  狭隘開口状凹溝
２１ａ  開口部
２１ｂ  底部
３０  連結部材
３０Ａ  第２の連結部材
３０Ｂ  第３の連結部材
３１  連結片
３２，３２Ａ，３２Ｂ，３２Ｃ，３２Ｄ  連結ボルト（連結用ねじ部材）
３３  ねじ孔
３４，３４Ａ  固定ボルト（固定用ねじ部材）
４０  取付部材
４２  取付ねじ
５０  脚部材
５１  連結片
５２  ねじ孔
５３  固定部材
５４  アンカーボルト
５６  固定ナット
６０  吊り部材
６１  連結片
６４  係止金具
７０  アンカ
７１  固定ボルト（固定部材）
７３  ブラケット
７３ａ  凸条
７５  固定部材
７６  ねじ孔
８０  標識部材
８２  凸条
８３  ねじ孔
８４  固定ボルト（固定用ねじ部材）
【図１】
2006286449.tif 000003
【図２】
2006286449.tif 000004
【図３】
2006286449.tif 000005
【図４】
2006286449.tif 000006
【図５】
2006286449.tif 000007
【図６】
2006286449.tif 000008
【図７】
2006286449.tif 000009
【図８】
2006286449.tif 000010
【図９】
2006286449.tif 000011
【図１０】
2006286449.tif 000012
【図１１】
2006286449.tif 000013
【図１２】
2006286449.tif 000014
【図１３】
2006286449.tif 000015
【図１４】
2006286449.tif 000016